(57)【要約】【課題】ディスクホルダとディスクとの間でディスク回転方向の回転滑りを無くしてディスクホルダの回転をディスクに忠実に伝達すること。【解決手段】ディスクホルダの中心部２０４からバネ付勢されてクランプされる光学式ディスクにおいて、光学式ディスクの最内周部２０１の少なくとも１箇所にクランプ用の切り欠き部２０２を設ける構成とする。また、前記光学式ディスクにおいて、最内周部２０１に設けられた切り欠き部２０２は、１２０°間隔で３箇所設ける構成とする。また、前記光学式ディスクにおいて、１２０°間隔で３箇所設けられた切り欠き部を１セットとし、この１セットの切り欠き部を最内周部２０１に複数個設ける構成とする。【選択図】図２
2007059002.tif 000002
【特許請求の範囲】
【請求項１】
ディスクホルダの中心部からバネ付勢されてクランプされる光学式ディスクにおいて、
前記光学式ディスクの最内周部の少なくとも１箇所にクランプ用の切り欠き部を設けることを特徴とする光学式ディスク。
【請求項２】
請求項１において、
前記最内周部に設けられた切り欠き部は、１２０°間隔で３箇所設けることを特徴とする光学式ディスク。
【請求項３】
請求項２において、
前記１２０°間隔で３箇所設けられた切り欠き部を１セットとし、前記１セットの切り欠き部を前記最内周部に複数個設けることを特徴とする光学式ディスク。
【請求項４】
請求項１、２または３において、
前記切り欠き部以外の最内周部は、円弧形状を形成し且つ慣用の光学式ディスクと同一径を有することを特徴とする光学式ディスク。
【請求項５】
ディスクホルダの中心部から圧縮コイルバネでバネ付勢された球状部材を有するディスクホルダと、前記球状部材で押圧されてクランプされる最内周部をもつ光学式ディスクと、からなるディスククランプ機構において、
前記光学式ディスクの最内周部には前記球状部材を嵌合させるクランプ用の切り欠き部を設け、前記切り欠き部は１２０°間隔で３箇所に設けられる
ことを特徴とするディスククランプ機構。
【発明の詳細な説明】
【技術分野】
【０００１】
本発明は、光学式ディスクにおけるディスククランプのためのディスク構造に関する。
【背景技術】
【０００２】
従来の光学式ディスクにおけるディスククランプの方法について、図３と図４を用いて説明する。図３は従来技術に関する光学式ディスクにおけるクランプ部を示す図であり、図４は従来技術に関する光学式ディスクに対するクランプ機構を示す図である。
【０００３】
図３に示すように、従来の光学式ディスクの最内周部３０１は円形を形成しており、ディスクホルダ４０２は、ディスクホルダ中心部４０３から３方向の法線方向に圧縮コイルバネ４０４のバネ力により、球状部材４０５を介して光学式ディスクの最内周部４０１の最内周部に付勢することによって光学式ディスクの保持を行っていた。
【発明の開示】
【発明が解決しようとする課題】
【０００４】
しかし、図３及び図４に示す従来技術では、ディスクホルダ４０２において法線方向への力でクランプしておりディスクの回転方向の押さえがないために、高速でディスクを回転させた場合にディスクとホルダ間で（詳しくは、ディスク最内周部とスプリング付勢された球状部材４０５との間で）滑りが生じ、ディスクホルダからの回転数がディスクの回転に正確に伝わらないことがあり得る。
【０００５】
本発明の目的は、ディスクホルダとディスクとの間でディスク回転方向の回転滑りを無くしてディスクホルダの回転をディスクに忠実に伝達する光学式ディスクを提供することにある。
【課題を解決するための手段】
【０００６】
前記課題を解決するために、本発明は主として次のような構成を採用する。  
ディスクホルダの中心部からバネ付勢されてクランプされる光学式ディスクにおいて、前記光学式ディスクの最内周部の少なくとも１箇所にクランプ用の切り欠き部を設ける構成とする。また、前記光学式ディスクにおいて、前記最内周部に設けられた切り欠き部は、１２０°間隔で３箇所設ける構成とする。また、前記光学式ディスクにおいて、前記１２０°間隔で３箇所設けられた切り欠き部を１セットとし、前記１セットの切り欠き部を前記最内周部に複数個設ける構成とする。
【発明の効果】
【０００７】
本発明によると、ディスク回転方向に対する回転滑りを無くし、ディスクホルダの回転をディスクの回転に忠実に伝えることができる。
【発明を実施するための最良の形態】
【０００８】
本発明の実施形態に係る光学式ディスクについて、図１及び図２を参照しながら以下説明する。図１は本発明の実施形態に係る光学式ディスクにおけるディスク最内周部の形状を示す図である。図２は本実施形態に係る光学式ディスクに対するクランプ機構を示す図である。
【０００９】
図１と図２において、１０１は光学式ディスク最内周部、１０２は光学式ディスク最内周部の切り欠き部、２０１は光学式ディスク最内周部、２０２は光学式ディスク最内周部の切り欠き部、２０３はディスクホルダ、２０４はディスクホルダ中心部、２０５は圧縮コイルバネ、２０６は球状部材、をそれぞれ表す。
【００１０】
図示するように、本実施形態に関するクランプ機構は、ディスクホルダ２０３の中心部２０４から３方向の法線方向に圧縮コイルバネ２０５のバネ力により球状部材２０６を介してディスクの最内周部１０１，２０１に付勢するような構造である。そして、このクランプ機構は従来技術におけるクランプ機構（図４参照）と同様である。
【００１１】
本実施形態に係る光学式ディスクは、図２に示すディスクホルダ２０３に対して、光学式ディスクの最内周部２０１に最低１ヶ所の切り欠き部２０２を設けることを特徴の１つとするものである。そして、光学式ディスクをディスクホルダにクランプする際に、この切り欠き部２０２に球状部材２０６を嵌め込んで光学式ディスク最内周部を付勢することにより、ディスクの回転方向の位置決め機能が果たされている。
【００１２】
ディスク最内周部に切り欠き部２０２を設けることによって、ディスクホルダ２０３を高速回転させた場合、ディスクホルダ２０３とディスクとの間の滑りを無くすことができるため、ディスクホルダ２０３の回転をディスクの回転に正確に伝えることができる。
【００１３】
また、切り欠きを１２０°間隔に３箇所設けることにより（圧縮コイルバネ２０５の配置に対応させて）、ディスクホルダ側の球状部材２０６をそれぞれ同等な力で付勢し、１ヶ所の場合と同様にディスク・ディスクホルダ間で滑り無く回転を伝えることができる。
【００１４】
また、切り欠きを１２０°間隔に３箇所を１セットとして回転の際のバランスを考慮して複数セット（図１の図示例では４セット）を設けることにより、回転方向位置決め可能な箇所が増加しディスククランプの位置決めがし易くなる。
【００１５】
なお、本実施形態に係る光学式ディスクのディスク最内周部１０１において切り欠き部１０２を設けた箇所以外の最内周は、従来のディスクの最内周の円弧径と変わらないため、３方向の法線方向にバネ力により球状部材２０６を介してディスクの最内周部を付勢するディスククランプ方法以外のクランプ方法にも対応可能である（従来のクランプ機構に対する汎用性を備える）。また、図２ではクランプ機構として球状部材を例示したが、これに限らず、円錐状部材やその他の形状の部材であってもよい。
【００１６】
以上説明したように、本発明の実施形態では、光学式ディスクの最内周部に切り欠き部を設けることによって、ディスクホルダ部の中心から３方向法線方向にバネ力付勢されたディスクホルダの球状部材に対して、ディスクの最内周部の切り欠き部に装着することで、ディスク回転方向に対する回転滑りを無くし、ディスクホルダの回転数をディスクの回転に正確に伝えることができる。換言すると、光学式ディスクの最内周部に切り欠き部を設け、ディスクホルダでディスクをクランプする際にディスクホルダの中心から法線方向に圧縮バネにて球状部材をディスク最内周部に付勢する際に、ディスク内周部の切り欠き部に対して付勢することによってディスクの回転方向の位置決めの役割をするので、高速回転時でもディスクホルダ・ディスク間で回転滑りが無くなりディスクホルダの回転をディスクに正確に伝えることができる。
【図面の簡単な説明】
【００１７】
【図１】本発明の実施形態に係る光学式ディスクにおけるクランプ部を示す図である。
【図２】本実施形態に係る光学式ディスクに対するクランプ機構を示す図である。
【図３】従来技術に関する光学式ディスクにおけるクランプ部を示す図である。
【図４】従来技術に関する光学式ディスクに対するクランプ機構を示す図である。
【符号の説明】
【００１８】
１０１  光学式ディスク最内周部
１０２  光学式ディスク最内周部の切り欠き
２０１  光学式ディスク最内周部
２０２  光学式ディスク最内周部の切り欠き
２０３  ディスクホルダ
２０４  ディスクホルダ中心部
２０５  圧縮コイルバネ
２０６  球状部材
３０１  光学式ディスク最内周部（従来技術）
４０１  光学式ディスク最内周部（従来技術）
４０２  ディスクホルダ
４０３  ディスクホルダ中心部
４０４  圧縮コイルバネ
４０５  球状部材
【図１】
2007059002.tif 000003
【図２】
2007059002.tif 000004
【図３】
2007059002.tif 000005
【図４】
2007059002.tif 000006